(57)【要約】【課題】無線通信機能を有する記録媒体を装着した場合に、記録媒体による無線通信を妨げることなく、電力消費を低減することを目的とする。【解決手段】無線通信機能を有する記録媒体を着脱可能な情報処理装置であって、記録媒体の着脱を検出する検出手段と、記録媒体の装着が検出された場合に、記録媒体の通信状態を特定する状態特定手段と、通信状態に基づいて、所定時間以上継続して操作が行われなかった場合に、少なくとも記録媒体への電力供給を停止する省電力制御の実行を許可又は禁止する実行管理手段と、実行管理手段により省電力制御の実行が許可された場合に、省電力制御を実行する電力制御手段とを有する。【選択図】図３
2016122286.tif 000002
【特許請求の範囲】
【請求項１】
無線通信機能を有する記録媒体を着脱可能な情報処理装置であって、
前記記録媒体の着脱を検出する検出手段と、
前記記録媒体の装着が検出された場合に、前記記録媒体の通信状態を特定する状態特定手段と、
前記通信状態に基づいて、所定時間以上継続して操作が行われなかった場合に、少なくとも前記記録媒体への電力供給を停止する省電力制御の実行を許可又は禁止する実行管理手段と、
前記実行管理手段により前記省電力制御の実行が許可された場合に、前記省電力制御を実行する電力制御手段と
を有することを特徴とする情報処理装置。
【請求項２】
前記状態特定手段は、前記通信状態として、前記記録媒体が外部装置と接続中か否かを特定し、
前記実行管理手段は、前記外部装置と接続中の場合に、前記省電力制御を禁止することを特徴とする請求項１に記載の情報処理装置。
【請求項３】
前記状態特定手段は、前記通信状態として、無線ＬＡＮ機能が起動中か否かを特定し、
前記実行管理手段は、前記無線ＬＡＮ機能が起動中である場合に、前記省電力制御を禁止することを特徴とする請求項１に記載の情報処理装置。
【請求項４】
前記状態特定手段は、前記通信状態として、前記記録媒体がアクセスポイントとして起動中か否かを特定し、
前記実行管理手段は、前記アクセスポイントとして起動中である場合に、前記省電力制御を禁止することを特徴とする請求項１に記載の情報処理装置。
【請求項５】
前記記録媒体は、外部のアクセスポイントに接続する機能を有し、
前記状態特定手段は、前記通信状態として、前記記録媒体が外部のアクセスポイントに接続中か否かを特定し、
前記実行管理手段は、外部のアクセスポイントに接続中の場合に、前記省電力制御を禁止することを特徴とする請求項１に記載の情報処理装置。
【請求項６】
前記記録媒体の無線通信機能の有効無効の設定を受け付ける受付手段をさらに有し、
前記実行管理手段は、前記通信状態及び前記受付手段が受け付けた前記無線通信機能の設定に基づいて、前記省電力制御の実行を許可又は禁止することを特徴とする請求項１乃至５何れか１項に記載の情報処理装置。
【請求項７】
無線通信機能を有する記録媒体を着脱可能な情報処理装置が実行する情報処理方法であって、
前記記録媒体の着脱を検出する検出ステップと、
前記記録媒体の装着が検出された場合に、前記記録媒体の通信状態を特定する状態特定ステップと、
前記通信状態に基づいて、所定時間以上継続して操作が行われなかった場合に、少なくとも前記記録媒体への電力供給を停止する省電力制御の実行を許可又は禁止する実行管理ステップと、
前記実行管理ステップにおいて前記省電力制御の実行が許可された場合に、前記省電力制御を実行する電力制御ステップと
を含むことを特徴とする情報処理方法。
【請求項８】
コンピュータを、
無線通信機能を有する記録媒体の着脱を検出する検出手段と、
前記記録媒体の装着が検出された場合に、前記記録媒体の通信状態を特定する状態特定手段と、
前記通信状態に基づいて、所定時間以上継続して操作が行われなかった場合に、少なくとも前記記録媒体への電力供給を停止する省電力制御の実行を許可又は禁止する実行管理手段と、
前記実行管理手段により前記省電力制御の実行が許可された場合に、前記省電力制御を実行する電力制御手段と
して機能させるためのプログラム。
【発明の詳細な説明】
【技術分野】
【０００１】
本発明は、情報処理装置、情報処理方法及びプログラムに関する。
【背景技術】
【０００２】
撮像装置の少なくとも一部の構成への電力供給を停止する省電力モードに移行させる電力制御部を備えた撮像装置が知られている。このような撮像装置では、所定時間以上継続してユーザによる操作が行われなかった場合に、電力制御部の制御により省電力モードに移行するように設定されている。一方、撮像装置に装着された通信手段を有する通信記録媒体が外部装置への画像転送中であった場合は、省電力モードに移行するまでの時間を延長する技術が開示されている（特許文献１参照）。
【先行技術文献】
【特許文献】
【０００３】
【特許文献１】特開２０１１−１５５６０２号公報
【発明の概要】
【発明が解決しようとする課題】
【０００４】
メモリ領域へ記録したファイルを無線通信を通して接続された装置へ公開し、要求がきたらファイルの転送を行うようなメモリカードも知られている。このようなメモリカードにおいて、ファイル閲覧中に省電力モードに移行した場合には、ファイル閲覧が中断されてしまうという問題があった。
【０００５】
本発明はこのような問題点に鑑みなされたもので、無線通信機能を有する記録媒体を装着した場合に、記録媒体による無線通信を妨げることなく、電力消費を低減することを目的とする。
【課題を解決するための手段】
【０００６】
そこで、本発明は、無線通信機能を有する記録媒体を着脱可能な情報処理装置であって、記録媒体の着脱を検出する検出手段と、記録媒体の装着が検出された場合に、記録媒体の通信状態を特定する状態特定手段と、通信状態に基づいて、所定時間以上継続して操作が行われなかった場合に、少なくとも記録媒体への電力供給を停止する省電力制御の実行を許可又は禁止する実行管理手段と、実行管理手段により省電力制御の実行が許可された場合に、省電力制御を実行する電力制御手段とを有することを特徴とする。
【発明の効果】
【０００７】
本発明によれば、無線通信機能を有する記録媒体を装着した場合に、記録媒体による無線通信を妨げることなく、電力消費を低減することができる。
【図面の簡単な説明】
【０００８】
【図１】撮像装置及び記録媒体を示す図である。
【図２】撮像装置の外観構成の一例を示す図である。
【図３】第１の実施形態に係るオートパワーオフ管理処理を示すフローチャートである。
【図４】第２の実施形態に係るオートパワーオフ管理処理を示すフローチャートである。
【図５】撮像装置の表示部に表示される画面例を示す図である。
【発明を実施するための形態】
【０００９】
以下、本発明の実施形態について図面に基づいて説明する。
【００１０】
図１は、本実施形態に係る撮像装置及び記録媒体を示す図である。図１（ａ）は、撮像装置１００を示す図である。撮像装置１００は、情報処理装置の一例である。撮像装置１００としては、デジタルスチルカメラ、デジタルビデオカメラ、カメラ付き携帯電話等が挙げられる。撮像装置１００は、無線通信機能を有する通信記録媒体を着脱可能である。１０１は、光学像を撮像装置１００内に取り込むためのレンズである。１０２は、レンズ１０１により取り込まれた光学像を電気信号に変換する固体撮像素子である。１０３は、固体撮像素子１０２により変換された電気信号をデジタルデータに変換するＡ／Ｄコンバータである。１０４は、レンズ１０１を合焦点に駆動するモータである。
【００１１】
１０９は、音声を取り込んで音声信号を生成するマイクである。１１０は、マイク１０９により取り込まれた音声信号を増幅するマイクアンプである。１１１は、マイクアンプ１１０により増幅された音声信号をデジタルデータに変換するＡ／Ｄコンバータである。１１２は、撮像装置１００に種々の動作を行わせるようにユーザが操作することが可能な操作キーである。操作キー１１２が操作されると、ユーザによる操作の有無を検出するユーザ操作検出がＣＰＵ１３０により行われる。１１４は、映像を表示するための表示部であり、例えば、ＬＣＤ、ＥＶＦ等により構成される。１１７は、諸情報を入出力する外部出力端子である。
【００１２】
１２４は、機器振動、結露等周囲環境を検出する各種センサー回路である。１２６は、ストロボ発光部である。１２５は、記録媒体としてのメモリカード１５０を収納するスロットである。メモリカード１５０の例としては、ＳＤカード、コンパクトフラッシュ（登録商標）等が挙げられる。１３０は、システム全体を制御するＣＰＵである。１２２は、ＣＰＵ１３０とシステムのためのプログラム、データ用のメモリである。１２１は、撮像装置のための電源装置である。なお、後述する撮像装置１００の機能や処理は、ＣＰＵ１３０がメモリ１２２に格納されているプログラムを読み出し、このプログラムを実行することにより実現されるものである。ＣＰＵ１３０は、例えば、撮像装置１００の動作モードを、省電力モードに移行させる。ここで、省電力モードとは、撮像装置１００の少なくとも一部の構成への電力供給を停止する動作モードである。ここで、少なくとも一部の構成には、スロット１２５に装着されたメモリカード１５０が含まれるものとする。すなわち、省電力モードにおいては、撮像装置１００の電源１２１からスロット１２５に装着されメモリカードへの電力供給も停止される。
【００１３】
本実施形態に係る撮像装置１００は、メモリカード１５０として無線通信機能付きのメモリカードを装着することが可能である。以下、無線通信機能付きのメモリカードを無線カードと称する。図１（ｂ）は、無線カード１６０を示す図である。無線カード１６０は、ＮＡＮＤ型フラッシュメモリ素子１６１、カードコントローラ１６２及びＲＦ回路１６６を具備する。カードコントローラ１６２は、ホストである撮像装置１００のＣＰＵ１３０から書き込みコマンドを受け付けると、記憶素子であるＮＡＮＤ型フラッシュメモリ素子１６１へ画像ファイルを書き込む。また、カードコントローラ１６２は、定期的に書き込まれたファイルを監視する。カードコントローラ１６２は、無線機能制御部１３３から無線通信機能の有効制御コマンドを受信した場合、ＲＦ回路１６６を通して、アクセスポイント（以下、ＡＰ）として電波を発し、外部の記憶装置へ無線通信を介して画像ファイルの転送を行う。
【００１４】
本実施形態における無線カード１６０は、撮像装置１００の制御とは独立に無線通信を制御することが可能である。したがって、無線カード１６０は、撮像装置１００の指示等を受けなくとも、自身の制御により、外部装置との無線通信を行うことができる。無線カード１６０は、撮像装置１００とのコマンドの送受信は可能であるため、特定の機能を撮像装置１００から制御するよう撮像装置１００を実装することも可能である。カードコントローラ１６２は、プロセッサ１６３、ＲＯＭ１６４、ＲＡＭ１６５を有し、プロセッサ１６３がＲＯＭ１６４に格納された各種プログラムを実行することにより、無線カード１６０における各処理が実行される。なお、撮像装置１００の制御は、１つのハードウェアが行ってもよいし、複数のハードウェアが処理を分担することで、装置全体の制御を行ってもよい。無線カード１６０の制御も同様である。
【００１５】
図２は、撮像装置１００の外観構成の一例を示す図である。電源ボタン２５１は、撮像装置１００を起動及び停止させるため、又は撮像装置１００の主電源をＯＮ／ＯＦＦするボタンである。メニューボタン２５２は、各種の撮像条件の設定のため、及び撮像装置１００の状態を表示させるためのメニューを表示するためのボタンである。ここで、メニューには、選択可能な項目や、値を変更可能な項目が含まれている。ここで、設定可能なモード又は項目には、例えば、撮影モード（例えば、露出の決定に関しては、プログラムモード、絞り優先モード、シャッタースピード優先モード等）、パノラマ撮影モード、情報コード読み取りモードが含まれる。また、再生モード、マルチ画面再生、消去モード、露出補正、フラッシュ設定がある。さらには、単写／連写の切り替え、セルフタイマー設定、記録画質設定、日時設定、記録された画像のプロテクト等も含まれ得る。
【００１６】
例えば、メニューボタン２５２が押下されると、ＣＰＵ１３０は、画像表示部２８にメニューを表示させる。メニューは、撮像中の画像の上に合成して表示されてもよいし、単独で表示（例えば、所定の背景色の上に表示）されてもよい。メニューが表示されている状態でメニューボタン２５２が再度押下されると、ＣＰＵ１３０は、画像表示部２８へのメニューの表示を終了させる。画像表示部２８には、接触検知部２７が配置され、ユーザの指が表面に触れた場合に接触を検知する。接触検知部２７は、画像表示部２８が四辺からなる矩形形状を有する場合、画像表示部２８の形状と関連づけて配置され、一般にはユーザの指による接触を検知する。
【００１７】
本実施形態における上下左右の方向定義は以下のように行うものとする。まず、撮像装置１００の画像表示部２８がユーザの側を向いた図２のような状態で、画像表示部２８に向かって右側方向を「右」、向かって左側方向を「左」、と呼ぶ。また画像表示部２８に向かって上側方向を「上」、向かって下側を「下」と呼ぶ。決定ボタン２５３は、モード又は項目を決定又は選択する際に押下される。ＣＰＵ１３０は、決定ボタン２５３が押下されると、そのときに選択されているモード又は項目を設定する。表示ボタン２５４は、撮像した画像についての撮影情報の表示・非表示を選択したり、画像表示部２８を電子ファインダーとして機能させるか否かを切り替えたりするために使用される。
【００１８】
左ボタン２５５、右ボタン２５６、上ボタン２５７、下ボタン２５８（方向選択キー）は、カーソルやハイライト部等のような、複数の選択肢の中で選択されている選択肢（例えば、項目、画像）を変更するために使用できる。方向選択キーはまた、選択されている選択肢を特定する指標の位置の変更、数値（例えば、補正値や日時等を示す数値等）の増減のため等に使用することができる。また、再生モードでの画像再生時においては、左ボタン２５５と右ボタン２５６は、画像送りボタンとして使用することができる。すなわち、左ボタン２５５の押下で表示している画像を一つ前の画像へ切り換え、右ボタン２５６の押下で表示している画像を一つ次の画像へと切り換える。
【００１９】
左ボタン２５５、右ボタン２５６、上ボタン２５７、下ボタン２５８によって、複数の項目の中から一つの項目のみを選択する他、２つ以上の項目を選択することができるようにユーザインタフェースが構成されることが好ましい。例えば、ＣＰＵ１３０は、決定ボタン２５３が押下された状態で左ボタン２５５、右ボタン２５６、上ボタン２５７、下ボタン２５８が操作された場合に、その操作によって指定された２以上の項目が選択されたものと認識するように構成される。シャッターボタン２６０は、例えば半押し状態で、ＡＦ（オートフォーカス)処理、ＡＥ（自動露出）処理、ＡＷＢ（オートホワイトバランス）処理、ＥＦ（フラッシュプリ発光）処理等の開始がＣＰＵ１３０に指示される。また、全押し状態で、撮影がＣＰＵ１３０に指示されるように構成される。録画／再生切り替えスイッチ２６１は、録画モードを再生モードに、及び、再生モードを録画モードに切り替えるために使用される。
【００２０】
ジャンプキー２６２は方向選択キーと同様の働きをし、カーソルやハイライト部等のような、複数の選択肢の中で選択されている選択肢（例えば、項目、画像）を変更するために使用される。ジャンプキー２６２はまた、選択されている選択肢を特定する指標の位置を変更するために使用されてもよい。ジャンプキー２６２によるカーソル移動は、方向選択キーによるそれに比べ早く、又は大きく設定してもよい。なお、上述のような操作系に代えて、ダイアルスイッチを採用してもよいし、他の操作系を採用することもできる。なお、本実施形態の撮像装置１００は、無線カードが装着されている場合、ＰＣ２００との接続モードに移行することが可能である。このモードでは、撮像装置１００は無線カードの無線通信機能を制御し、ＰＣ２００への画像送信等を行うことができる。なお、ＰＣ２００は、パーソナルコンピュータ等のコンピュータである。
【００２１】
図３は、撮像装置１００による、オートパワーオフ管理処理を示すフローチャートである。ここで、オートパワーオフとは、撮像装置１００の動作状態を省電力モードに移行する処理である。ここで、省電力モードとは、撮像装置１００の少なくとも一部の構成への電力供給を停止する動作モードである。オートパワーオフを許可するか否かは、撮像装置１００のメニューなどをユーザが操作することで、許可・禁止のいずれかが設定され、その設定が保持される。本実施形態における撮像装置１００は、オートパワーオフが許可及び禁止のいずれに設定されているかを定期的に判定する。許可に設定されている場合に、カウントダウンを開始し、所定時間経過後に動作モードを省電力モードに設定する。省電力モードに設定するまでのタイマーの時間Ｔは、例えば３分に設定される。また、禁止が設定されている場合には、カウントダウンは開始されない。ＣＰＵ１３０は、オートパワーオフが許可に設定されている場合には、カウントダウン終了後に省電力モードに設定し、撮像装置１００の少なくとも一部の構成への電力供給を停止する省電力制御を実行する（電力制御処理の一例）。以上説明したのが、一般的なオートパワーオフ管理処理であるが、本実施形態の撮像装置１００は、メニューでの設定だけでなく、無線カードの通信状態も考慮し、省電力モードへの移行を制御することとした。
【００２２】
ステップＳ３０１において、ＣＰＵ１３０は、スロット１２５にメモリカードが装着されているか否かを検出する（検出処理）。ＣＰＵ１３０は、装着を検出した場合には（ステップＳ３０１でＹｅｓ）、処理をＳ３０２へ進める。ＣＰＵ１３０は、装着を検出しなかった場合には（ステップＳ３０１でＮｏ）、オートパワーオフ管理処理を終了する。ステップＳ３０２において、ＣＰＵ１３０は、メモリカードの種別情報を取得する。ここで、種別情報は、メモリカードの種別を示す情報である。具体的には、ＣＰＵ１３０は、スロット１２５に装着されたメモリカードのコントローラに、種別情報を取得するためのコマンドを発行する。そして、ＣＰＵ１３０は、メモリカードのコントローラからのレスポンス情報として、種別情報を取得する。
【００２３】
次に、ステップＳ３０３において、ＣＰＵ１３０は、種別情報に基づいて、メモリカードの種別を特定する。ＣＰＵ１３０は、特定には、カードのＣＩＤ情報を用いる。ＣＰＵ１３０は、メモリカードの種別が無線カードである場合には（ステップＳ３０３でＹｅｓ）、処理をＳ３０４へ進める。ＣＰＵ１３０は、メモリカードの種別が無線カードでない場合には（ステップＳ３０３でＮｏ）、オートパワーオフ管理処理を終了する。無線機能を有するメモリカードは種々のものが知られている。ステップＳ３０３で無線カードと判断されるメモリカードは、ＡＰとなる機能を有し、ＡＰに外部装置が接続した場合は、外部装置から選択的に要求されたデータを送信する機能を有する、特定の種類のメモリカードであるものとする。ステップＳ３０４において、ＣＰＵ１３０は、無線カードの接続ステータスを取得する。ここで、接続ステータスとは、無線カードの通信状態を示す情報である。具体的には、ＣＰＵ１３０は、無線カードのコントローラに接続ステータスを取得するためのコマンドを発行する。そして、ＣＰＵ１３０は、無線カードのコントローラから、レスポンス情報として接続ステータスを取得する。
【００２４】
次に、ステップＳ３０５において、ＣＰＵ１３０は、接続ステータスに基づいて、無線カードのＡＰに無線通信を介して接続中の外部装置が存在するか否かを特定する。本実施形態でいう「接続中の外部装置が存在する」とは、無線カードのＡＰが形成するネットワークに外部装置が参加している状態をいう。なお、外部装置がネットワークに参加しているだけでなく、外部装置と無線カードとの間でデバイス間の通信が確立した状態をもって「接続中の外部装置が存在する」と判断してもよい。ステップＳ３０４の処理は、記録媒体が外部装置と接続中か否かを通信状態として特定する状態特定処理の一例である。ＣＰＵ１３０は、接続中の外部装置が存在する場合には（ステップＳ３０５でＹｅｓ）、処理をステップＳ３０６へ進める。ＣＰＵ１３０は、接続中の外部装置が存在しない場合には（ステップＳ３０５でＮｏ）、処理をステップＳ３０７へ進める。ステップＳ３０６において、ＣＰＵ１３０は、オートパワーオフを禁止に設定し、その後処理をステップＳ３０８へ進める。一方、ステップＳ３０７においては、ＣＰＵ１３０は、オートパワーオフを許可に設定し、その後処理をステップＳ３０８へ進める。
【００２５】
なお、本実施形態においてステップＳ３０６の設定は、前述したメニュー操作でのオートパワーオフ許可／禁止の設定に優先して行われる。したがって、例えメニュー操作にてオートパワーオフが許可されていても、ステップＳ３０６ではオートパワーオフが禁止される。一方、メニュー操作にてオートパワーオフが禁止されていた場合は、ステップＳ３０６ではオートパワーオフを許可しない。ステップＳ３０６及びステップＳ３０７の処理は、無線カードの接続ステータスに基づいて、省電力制御の実行を許可又は禁止する実行管理処理の一例である。
【００２６】
ステップＳ３０８において、ＣＰＵ１３０は、スロット１２５にメモリカードが継続して装着されているか否かを判定する。ＣＰＵ１３０は、メモリカードが装着されている場合には（ステップＳ３０８でＹｅｓ）、処理をステップＳ３０４へ進める。これにより、ＣＰＵ１３０は、無線カードが装着されている間は、定期的にステップＳ３０４〜ステップＳ３０７の処理を繰り返す。ＣＰＵ１３０は、メモリカードが取り外された場合には（ステップＳ３０８でＮｏ）、オートパワーオフ管理処理を終了する。
【００２７】
以上のように、第１の実施形態に係る撮像装置１００は、撮像装置１００に装着された無線カードの接続ステータスを定期的に特定し、接続ステータスに基づいて、省電力モードへの移行を制御する。すなわち、撮像装置１００は、ＡＰとなる機能を有する無線カードに、通信状態を定期的に問い合わせる。そして、撮像装置１００は、所定時間以上継続して操作が行われなかった場合においても、無線カードの接続ステータスが外部装置と接続中であった場合には、省電力モードへの移行を禁止することができる。これにより、撮像装置１００は、ユーザによる画像の閲覧中や転送中に処理が中断されるのを防ぐことができる。このように、撮像装置１００は、無線通信機能を有する記録媒体を装着した場合に、記録媒体による無線通信を妨げることなく、電力消費を低減することができる。
【００２８】
第１の実施形態に係る撮像装置１００の第１の変更例としては、オートパワーオフの許可又は禁止の設定のための条件は、実施形態に限定されるものではない。他の例としては、ＣＰＵ１３０は、ステップＳ３０４において、接続ステータスとして、無線カードの無線ＬＡＮ機能が起動中か否かを特定してもよい。そして、この場合には、ステップＳ３０５において、ＣＰＵ１３０は、無線カードの無線ＬＡＮ機能が起動中の場合に、処理をステップＳ３０６へ進め、起動中でない場合に、処理をステップＳ３０７へ進めることとしてもよい。
【００２９】
また、他の例としては、無線カードが無線カード以外の外部のＡＰに接続する機能を有する場合には、ＣＰＵ１３０は、ステップＳ３０４において、接続ステータスとして、外部のＡＰに接続中か否かを特定してもよい。そして、この場合には、ステップＳ３０５において、ＣＰＵ１３０は、外部ＡＰに接続中の場合に、処理をステップＳ３０６へ進め、接続中でない場合に、処理をステップＳ３０７へ進めることとしてもよい。また、他の例としては、外部のＡＰを介して他の装置と通信を確立しているか否かを特定してもよい。この場合には、ステップＳ３０５において、ＣＰＵ１３０は、外部ＡＰを介して他の装置と通信を確立している場合に、処理をステップＳ３０６へ進め、他の装置と通信を確立していない場合に、処理をステップＳ３０７へ進めることとしてもよい。
【００３０】
また、第２の変更例としては、撮像装置１００は、オートパワーオフが許可された場合に、省電力モードに移行するのにかえて、スロット１２５に装着されたメモリカードを含む、撮像装置１００全体の電源をオフにすることとしてもよい。
【００３１】
（第２の実施形態）
次に、第２の実施形態に係る撮像装置１００について説明する。第２の実施形態に係る撮像装置１００は、スロット１２５に装着された無線カードの無線通信機能のオンオフをユーザ操作に応じて設定することができる。さらに、撮像装置１００は、無線通信機能のオンオフと、無線カードの接続ステータスとに基づいて、省電力制御の実行を許可又は禁止する。図４は、第２の実施形態に係る撮像装置１００による、オートパワーオフ管理処理を示すフローチャートである。なお、ステップＳ４０１〜ステップＳ４０３の処理は図３を参照しつつ説明したステップＳ３０１〜ステップＳ３０３の処理と同様である。
【００３２】
ステップＳ４０３において、ＣＰＵ１３０は、メモリカードの種別が無線カードである場合には（ステップＳ４０３でＹｅｓ）、処理をＳ４０４へ進める。ＣＰＵ１３０は、メモリカードの種別が無線カードでない場合には（ステップＳ４０３でＮｏ）、オートパワーオフ管理処理を終了する。ステップＳ４０４において、ＣＰＵ１３０は、無線機能画面を表示する。図５は、撮像装置１００の表示部１１４に表示される画面例を示す図である。ＣＰＵ１３０は、オートパワーオフ管理処理の実行時、表示部１１４に、図５（ａ）に示す操作メニュー画面５００を表示する。この操作メニュー画面５００には、ユーザから、撮像装置１００の機能に関する設定要求を受け付けるための受付画像として、「Ｆｕｎｃ．Ａ」を示すアイコン５０１と、「Ｆｕｎｃ．Ｂ」を示すアイコン５０２と、が表示されている。操作メニュー画面５００にはさらに、無線カードの無線通信機能に関する設定要求の入力を受け付けるための受付画像として、「カードの無線機能」を示すアイコン５０３が表示されている。ユーザによりアイコン５０３が選択されると、図５（ｂ）に示す無線機能画面５１０が表示される。なお、図５（ａ）、（ｂ）の画面は、無線カードの装着後、ユーザ操作にて任意のタイミングで表示させることができる。
【００３３】
無線機能画面５１０には、無線通信機能のオンの設定要求の入力を受け付けるための受付画像として、「ＯＮ」を示すアイコン５１１が表示されている。無線機能画面５１０には、さらに無線通信機能のオフの設定要求の入力を受け付けるための受付画像として、「ＯＦＦ」を示すアイコン５１２が表示されている。無線機能画面５１０にはさらに、無線通信機能の自動設定の要求の入力を受け付けるための受け付け画面として、「ＡＵＴＯ」を示すアイコン５１３が表示されている。
【００３４】
図４に戻り、ステップＳ４０４の処理の後、ステップＳ４０５において、ＣＰＵ１３０は、ユーザによりアイコン５１１〜５１３の何れかが選択されると、選択されたアイコン５１１〜５１３に対応する設定要求を受け付ける。ここで、ステップＳ４０５の処理は、無線カードの無線通信機能のオンオフ（有効無効）の設定を受け付ける受付処理の一例である。次に、ステップＳ４０６において、ＣＰＵ１３０は、設定要求の内容を判定する。ＣＰＵ１３０は、自動の設定要求の場合には（ステップＳ４０６でＹｅｓ）、処理をステップＳ４０７へ進める。ＣＰＵ１３０は、自動の設定要求でない場合には（ステップＳ４０６でＮｏ）、処理をステップＳ４１２へ進める。ステップＳ４０７において、ＣＰＵ１３０は、無線カードの接続ステータスを取得する。本処理は、図３を参照しつつ説明したステップＳ３０４の処理と同様である。メニュー設定が「ＡＵＴＯ」の場合は、ＣＰＵ１３０が無線カードに無線ＬＡＮ起動や終了要求コマンドを発行することはなく、無線カードの接続ステータスは、無線カードのカードコントローラ１６２の制御に準拠する。
【００３５】
次に、ステップＳ４０８において、ＣＰＵ１３０は、接続ステータスに基づいて、無線カードの無線ＬＡＮ機能が起動中か否かを判定する。ＣＰＵ１３０は、無線ＬＡＮ機能が起動中の場合には（ステップＳ４０８でＹｅｓ）、処理をステップＳ４０９へ進める。ＣＰＵ１３０は、無線ＬＡＮ機能が起動中でない場合には（ステップＳ４０８でＮｏ）、処理をステップＳ４１０へ進める。ステップＳ４０９、ステップＳ４１０及びステップＳ４１１の処理は、それぞれステップＳ３０６、ステップＳ３０７及びステップＳ３０８の処理と同様である。無線カードのカードコントローラ１６２の制御において、タイムアウト機能があると仮定する。ここで、タイムアウト機能とは、無線カードが無線ＬＡＮとして起動中に外部装置からの接続が所定時間ない場合、自動で無線ＬＡＮ機能を終了する機能である。この場合、タイムアウト機能が有効になっていた場合、タイムアウトの時間が経過する前にオートパワーオフになることを避けることができる。
【００３６】
ステップＳ４１２において、ＣＰＵ１３０は、設定要求の内容がオンの場合には（ステップＳ４１２でＹｅｓ）、処理をステップＳ４１３へ進める。ＣＰＵ１３０は、設定要求の内容がオフの場合には（ステップＳ４１２でＮｏ）、処理をステップ４１６へ進める。ステップＳ４１３において、ＣＰＵ１３０は、無線カードに無線ＬＡＮ機能の起動要求コマンドを発行する。ただし、ＣＰＵ１３０は、この時既に無線カードに同様のコマンドを発行していた場合は、重複して発行する必要はない。起動要求コマンドが発行されると、無線カードは、無線ＬＡＮ機能を起動する。無線カードは、起動要求コマンドにより無線ＬＡＮ機能を起動した場合は、タイムアウト機能を無効化する。
【００３７】
ステップＳ４１４において、ＣＰＵ１３０は、無線カードの接続ステータスを取得する。本処理は、図３を参照しつつ説明したステップＳ３０４の処理と同様である。次に、ステップＳ４１５において、ＣＰＵ１３０は、接続ステータスに基づいて、無線カードのＡＰに無線通信を通して接続している外部装置が存在するか否かを判定する。ＣＰＵ１３０は、接続中の外部装置が存在する場合には（ステップＳ４１５でＹｅｓ）、処理をステップＳ４０９へ進める。ＣＰＵ１３０は、接続中の外部装置が存在しない場合には（ステップＳ４１５でＮｏ）、処理をステップＳ４１０へ進める。
【００３８】
なお、他の例としては、ステップＳ４１５において、ＣＰＵ１３０は、接続中の外部装置の有無に替えて、ステップＳ４０８の処理と同様に無線ＬＡＮ機能が起動中か否かに応じて、ステップＳ４０９又はステップＳ４１０の処理を行うこととしてもよい。前述の通り、無線カードは、起動要求コマンドにより無線ＬＡＮ機能が起動した場合は、タイムアウト機能は無効化されている。このため、本実施形態に係るＣＰＵ１３０は、無線ＬＡＮ機能が起動中であっても、外部装置が接続中でない場合には、ステップＳ４１０へ進み、オートパワーオフを許可することとした。また、他の例としては、無線カードが、他のＡＰに接続する機能を有しているとする。この場合には、ステップＳ４１５において、ＣＰＵ１３０は、接続中の外部装置の有無に替えて、他のＡＰに接続中か否かに応じて、ステップＳ４０９又はステップＳ４１０の処理を行うこととしてもよい。
【００３９】
ステップＳ４１６において、ＣＰＵ１３０は、無線カードに無線ＬＡＮ機能の終了要求コマンドを発行し、処理をステップＳ４１０へ進める。ただし、ＣＰＵ１３０は、この時既に無線カードに同様のコマンドを発行していた場合は、重複して発行する必要はない。終了要求コマンドが発行されると、無線カードは、無線ＬＡＮ機能を終了する。
【００４０】
以上のように、第２の実施形態に係る撮像装置１００は、無線カードの通信状態（接続ステータス）だけでなく、無線カードの通信機能の設定に基づいて、省電力制御の実行を許可するか禁止するかを制御することができる。これにより、撮像装置１００は、無線通信機能を有する記録媒体を装着した場合に、記録媒体による無線通信を妨げることなく、電力消費を低減することができる。
【００４１】
以上、上述した各実施形態によれば、無線通信機能を有する記録媒体を装着した場合に、記録媒体による無線通信を妨げることなく、電力消費を低減することができる。
【００４２】
＜その他の実施形態＞
以上、本発明に係る好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の第１の実施形態の機能を実現するソフトウェアのプログラムを、記憶媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００４３】
プログラムを供給するための記憶媒体としては、例えば、ハードディスク、磁気テープ等の磁気記憶媒体、光／光磁気記憶媒体、不揮発性の半導体メモリでもよい。また、プログラムの供給方法としては、コンピュータネットワーク上のサーバーに本発明を形成するコンピュータプログラムを記憶し、接続のあったクライアントコンピュータがコンピュータプログラムをダウンロードしてプログラムするような方法も考えられる。
【００４４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００４５】
１００  撮像装置
１２１  電源
１３０  ＣＰＵ
１２５  スロット
１６０  無線カード
１６２  カードコントローラ
【図１】
2016122286.tif 000003
【図２】
2016122286.tif 000004
【図３】
2016122286.tif 000005
【図４】
2016122286.tif 000006
【図５】
2016122286.tif 000007